(57)【要約】外側において蓋および付属品を支持するための手段を構成する一方、内側においては同じ構造が部品および電気装置ならびに電子装置の組み付けのための支柱を構成している異形材（１０４）を含んでおり、さらに、この異形材（１０４）が、四角形の断面を有する筒状の中央の芯（１０５）によって画定される幾何形状の断面を呈し、頂点（１０６）がキャビネット（１００）の内部を向いている一方で、対向する頂点（１０７）がキャビネット（１００）の外を向いており、これら２つの頂点が残りの２つの頂点（１０８）および（１０９）の場合と異なり１枚の壁から構成されており、該残りの２つの頂点（１０８）および（１０９）は、最初の２つの頂点（１０６、１０７）を構成する薄板の接合によって画定され、この接合点から二枚壁（１１０）が、頂点（１０６）に隣接する壁面（１０６ａ、１０６ｂ）と同一平面の位置で広がって、対向するリム（１１１ａ、１１１ｂ）を形成しており、該リム（１１１ａ、１１１ｂ）の端部が直角に折り曲げられて短い端部（１１２）および（１１３）を形成し、該短い端部（１１２）および（１１３）は、溝が設けられる（１１４）とともに、頂点（１０７）に隣接する壁面（１０７ａ、１０７ｂ）から平行に離れており、さらに壁面（１０７ａ）が直角に外側へと向かう突起を有して直角リム（１１５）を構成して、構造体（１０３）の組み立てを可能にする異形材の構造を完成させており、次いで、この構造体（１０３）が種々の蓋（１０１）および扉（１０２）を受け止めてキャビネット／囲いまたは箱（１００）を構成する。
2005529500.tif 000002
【特許請求の範囲】
【請求項１】
キャビネットを構成するための構造体の組み立てに使用する金属製異形材であって、通常は１つ以上の開閉扉（１０２）を含む適切な側面蓋（１０１）を備える金属製の箱の形態である屋内型または屋外型のキャビネット／囲い、箱、またはパネル・ボード（１００）を構成するためのものであり、前記扉を含む前記蓋が通常は充分に薄い金属の薄板から作られ、したがって該一式のアセンブリにおいて、該金属製異形材（１０４）からなる構造体（１０３）が、外側において前記蓋および付属品を支持する手段を構成し、内側において同じ構造体が部品および電気装置ならびに電子装置の組み付けのための支えを構成するよう使用される金属製異形材における改良であり、
該異形材（１０４）が、四角形の断面を有する筒状の中央の芯（１０５）によって画定される幾何形状を有する断面を呈し、頂点（１０６）がキャビネット（１００）の内部を向いている一方で、対向する頂点（１０７）がキャビネット（１００）の外を向いており、これら２つの頂点が残りの２つの頂点（１０８）および（１０９）の場合と異なり１枚の壁から構成されており、
該残りの２つの頂点（１０８）および（１０９）は、前記２つの第１の頂点（１０６、１０７）を構成する薄板の接合によって画定され、この接合点から二枚壁（１１０）が、頂点（１０６）に隣接する壁面（１０６ａ、１０６ｂ）と同一平面の位置で広がって、対向するリム（１１１ａ、１１１ｂ）を形成しており、
該リム（１１１ａ、１１１ｂ）の端部が直角に折り曲げられて短い端部（１１２）および（１１３）を形成し、該短い端部（１１２）および（１１３）は、溝が設けられる（１１４）とともに、頂点（１０７）に隣接する壁面（１０７ａ、１０７ｂ）から平行に離れており、さらに壁面（１０７ａ）が、直角に外側へと向かう突起を有して直角リム（１１５）を構成していることを特徴とするキャビネットを構成するための構造体の組み立てに使用する金属製異形材の改良。
【請求項２】
キャビネット（１００）の外側に位置する前記隣接する壁面（１０７ａ）および（１０７ｂ）が、完全に行き止まりであって穴がないことを特徴とする請求項１に記載のキャビネット／囲いを構成するための構造体の組み立てに使用する金属製異形材における改良。
【請求項３】
キャビネット（１００）の内側に位置する前記隣接する壁面（１０６ａ）および（１０６ｂ）に、種々の形状および寸法の開口および穴（１１６）の列が配置されていることを特徴とする請求項１に記載のキャビネット／囲いを構成するための構造体の組み立てに使用する金属製異形材における改良。
【請求項４】
前記リム（１１５）が、種々の穴および開口（１１７）の列によって抜かれていることを特徴とする請求項１に記載のキャビネット／囲いを構成するための構造体の組み立てに使用する金属製異形材における改良。
【請求項５】
種々の異形材（１０４）の結合である前記構造体（１０３）において、全てのリム（１１１ａ、ｂ）および（１１５）が、外側を向くとともに、上面および下面を含む該構造体（１０３）の全ての面を対称的に同一にすべく結合することを特徴とする請求項１に記載のキャビネット／囲いを構成するための構造体の組み立てに使用する金属製異形材における改良。
【請求項６】
前記折り曲げ端（１１３）が、「ａ」型ガスケット（１１８）のための固定レールを構成していることを特徴とする請求項１に記載のキャビネット／囲いを構成するための構造体の組み立てに使用する金属製異形材における改良。
【請求項７】
前記同じリム（１１５）が、蓋（１０１）を固定すべくねじ（１２２）を使用するための固定点を構成し、密封には、対応する前記折り曲げ（１１３）に装着された異形のガスケットまたは「ａ」型ガスケットを使用することを特徴とする請求項１に記載のキャビネット／囲いを構成するための構造体の組み立てに使用する金属製異形材における改良。
【請求項８】
前記端部（１１２）が、蓋（１０１）の内側または該端部（１１２）の前面に取り付けられた密封ひも（１２３）のための平坦な支えを構成していることを特徴とする請求項１に記載のキャビネット／囲いを構成するための構造体の組み立てに使用する金属製異形材における改良。
【請求項９】
２つの構造体が並んで接続されるとき、異形材（１０４）が、直角に折り曲げられた端部（１１３）を密封材（１２３）を間に位置させて対向、すなわち並ぶように調節して有し、
該密封材（１２３）が、付属品すなわち「Ｕ」字に折り曲げた平棒ブラケット（１２４）と関連して或る圧力に維持され、該平棒ブラケット（１２４）が、ねじ（１２５）と関連して２つの筒状の芯（１０５）の間の相互接続を確立しており、
該相互接続が、他のねじ（１２５）の使用によって同様に２つのリム（１１５）を相互接続するロッド（１２６）によって補われていることを特徴とする請求項１に記載のキャビネット／囲いを構成するための構造体の組み立てに使用する金属製異形材における改良。
【請求項１０】
第１の好ましい実施形態において、異形材（１０４）およびリム（１１５ａ）が、頂点（１０７）によって画定されるちょうどその点に形成されており、壁（１０７ｂ）に対して同一面の位置にあり、壁（１０７ａ）に直交していることを特徴とする請求項１に記載のキャビネット／囲いを構成するための構造体の組み立てに使用する金属製異形材における改良。
【請求項１１】
第２の好ましい実施形態において、異形材（１０４）のリム（１１１）が、外側に向かって直角に折り曲げ（１１３ａ）られていることを特徴とする請求項１に記載のキャビネット／囲いを構成するための構造体の組み立てに使用する金属製異形材における改良。
【請求項１２】
異形材（１０４）がキャビネット（１００）の上部または底部を構成するとき、外側に向かって折り曲げられた前記リム（１１３ａ）が、該キャビネット（１００）の床および天井のための組み付け支持台を構成することを特徴とする請求項１０に記載のキャビネット／囲いを構成するための構造体の組み立てに使用する金属製異形材における改良。
【請求項１３】
異形材（１０４）の第３の好ましい実施形態において、端部（１１２ａ）が外側に向かって直角に折り曲げられていることを特徴とする請求項１に記載のキャビネット／囲いを構成するための構造体の組み立てに使用する金属製異形材における改良。
【請求項１４】
異形材（１０４）の第４の好ましい実施形態において、壁（１０７ｂ’）が頂点（１０７’）に９０°よりもかなり大きい内部角度を提供し、中間のリム（１１５’）が直角な第２の折り曲げを有し、該リム（１１５’）が固定用の２つの列を直角に有するよう、前記第２の折り曲げにも種々の穴および開口（１１７’）および（１１７’’）が配置されていることを特徴とする請求項１に記載のキャビネット／囲いを構成するための構造体の組み立てに使用する金属製異形材における改良。
【請求項１５】
第５の好ましい実施形態において、異形材（１０４）の筒状の芯（１０５’）が、この場合においては二重壁である頂点（１０６’）に隣接する壁（１０６ｂ’）をただ１つだけ備え、ただ１つの面（１０６ａ’）が、壁（１０６ｂ）に存在する開口（１１６’）の両側へのアクセスの形態で完全に開いていることを特徴とする請求項１に記載のキャビネット／囲いを構成するための構造体の組み立てに使用する金属製異形材における改良。
【請求項１６】
第６の好ましい実施形態において、開放されている芯を有する前記異形材（１０４）が、自体のリム（１１５’）に折り曲げ（１１７）を有し、開口（１１７’、１１７’’）を備えて互いに直交して位置する２つの隣接する面を形成していることを特徴とする請求項１に記載のキャビネット／囲いを構成するための構造体の組み立てに使用する金属製異形材における改良。
【請求項１７】
第７の好ましい実施形態において、異形材（１０４）の横断面の幾何形状が薄板を折り曲げてなり互いに溶接される２つの別個の異形材によって画定され、
該２つの別個の異形材の一方（１２７）がキャビネットの内側に位置し、他方（１２８）がキャビネットの外側に位置し、
前者が頂点（１０６）および開口（１１６）を備える隣接する各壁（１０６ａ）および（１０６ｂ）を含む一方で、他方が開口（１１７）を備えるリム（１１５）を含んでおり、
該異形材が内側または外側へと直角に折り曲げられた端部またはリム（１１２）および（１１３）を含んでいることを特徴とする請求項１に記載のキャビネット／囲いを構成するための構造体の組み立てに使用する金属製異形材における改良。
【請求項１８】
異形材（１０４）が、等しいまたは異なる長さの壁（１０６ａ）および（１０６ｂ）を備える２つの折り曲げ薄板（１２７、１２８）によって形成されることを特徴とする請求項１６に記載のキャビネット／囲いを構成するための構造体の組み立てに使用する金属製異形材における改良。
【発明の詳細な説明】
【技術分野】
【０００１】
本発明は、具体的には、特に様々な種類のキャビネット／囲いにおいて通常使用される構造体のアセンブリのために開発された金属製異形材の幾何形状における目ざましい成果に関する。そのようなキャビネット／囲いは、パネル・ボードとしても知られており、現実には、扉および側面の蓋を備えて、きわめて幅広い種類の部品および電気装置ならびに電子装置を収容する金属製の箱（キャビネット）である。
【背景技術】
【０００２】
当業者であれば既知であるように、現時点において、配電盤、パネル・ボード、または箱などとも呼ばれ、電気通信分野を含むきわめて幅広い様々な活動領域において、種々の部品および電気装置ならびに電子装置を含むよう設計された種々の種類のキャビネット／囲いが存在している。
【０００３】
すなわち、配電、あるいは部品および電気装置ならびに電子装置の組み付けの様々な状況において、箱、キャビネット、またはパネルの使用がきわめて重要である。
【０００４】
今日、きわめて幅広い種類のキャビネット／囲いが存在しているが、それらは通常、１つ以上の扉を含む適切な蓋を自体の寸法に応じて備える金属製の箱である。そのような蓋は、扉も含め、通常は充分に薄い金属の薄板から作られる。このようにして、全てのキャビネット／囲いは、金属製異形材からなる構造体を包み込んでいる。この構造体は、その名前が意味するとおり、外壁を構成している折り曲げ薄板による部品を支持するための手段を構成し、さらに扉および扉の各蝶番を支持して組み付けるための手段を構成している。さらに、この構造体は、内側ではあるけれども、種々の部品および電気装置ならびに電子装置を配置して組み付けるために必要な支えも構成している。
【０００５】
キャビネットまたは箱を内部設備の取り付けに適するよう特徴付けるため、全てのパネル・ボードの内部について、充分に耐久性のある構造を備えることが欠くことができないことは明白である。
【０００６】
現時点において、いずれも金属製異形材から得られる種々の形式の構造体が存在しており、多くの場合、これら金属製異形材が薄板の曲げプレスによって形作られており、生産プロセスの進行の妨げとなるとともに、いくつかの技術的制約をもたらしている。
【０００７】
一方で、以下の文献に示されているように、形状加工機で形作られる他の種類の金属製異形材も存在する。ａ）特許情報ＰＩ  ８．４０６．２８３、１９８４年１２月７日出願の配電盤用ラック・ボード。ｂ）１９９５年１０月４日出願の独国特許第１９５３６９５０号明細書、異形材構造に言及；特許情報ＰＩ  ９．５０９．５７８−０、１９９７年１２月２３日発行−配電盤用ラック。ｃ）特許情報ＰＩ  ９．７１２．７７８−７、１９９９年１０月１９日発行、配電盤の矩形構造のための矩形の異形材。ｄ）特許情報ＰＩ  ９．５０９．５９４−２、１９９７年９月３０日発行、配電盤用ラック。ｅ）特許情報ＰＩ  ９．７０８．０４１−１、１９９９年７月２７日発行、パネル構造を備える配電盤。ｆ）特許情報ＰＩ  ９．７１２．７７９−５−１９９９年１０月１９日発行、配電ボックス、およびブラジル（ＢＲ）特許出願公開Ｐ．Ｉ．０２０１１５５−７、２００２年３月３日出願のキャビネット／囲い用の構造体を形作るための異形材。
【０００８】
このように、上記リストおよび他の異形材の多くは、通常は筒状であり、したがって筒の芯を画定しつつ閉じており、１つ以上の側面または延長面を備えている。筒状部分および延長部分は、部品および電気装置ならびに電子装置だけではなく、扉の蝶番など集合体の一体の一部となる他の細かい部品をも固定するため、種々の形状の穴および切抜きを列を成して有している。
【０００９】
さらに、現在のパネル・ボード、キャビネット／囲い、または箱が、商業的に屋内型（遮蔽ありでの使用）および屋外型（遮蔽なしでの使用−悪天候にさらされる）として画定される２つの種類の用途を手に入れるべく設計されていることを強調しておく必要がある。この２つの形式の間の相違は、基本的には、側面蓋および扉の機械的保護および密封の程度にあり、屋外型と画定されるものは、高度の機械的保護および密封を提供していると言うことができる。
【００１０】
従来、屋内型は、悪天候から保護される閉鎖環境における使用に適していると考えられ、屋外型と定義される他の形式は、電気通信の分野で使用されるいくつかのキャビネット／囲いの場合など、開放空間または野外での使用に理想的であると考えられていた。しかしながら、屋外型は密封が高度であるため、産業、種々の製品を処理するための環境、とりわけ化学の分野、産業用の厨房、および／または同様の場所など、閉鎖環境ではあるが空気中に浮遊する汚染物質の存在のほか、湿気の存在などによって好ましくない条件がある環境においても、好都合に使用される。
【発明の開示】
【発明が解決しようとする課題】
【００１１】
前述のとおり、現時点において、構造体の組み立てのために多数の異形材が存在し、多くの場合、得られる構造的結果は確かに満足できるものである。しかしながら、密封という点に関しては、用途に応じて特別な技術的実施形態が必要とされるとともに、前記文献（特許情報ＰＩ  ８．４０６．２８３、１９８４年１２月７日出願の配電盤のラック・ボード、屋内型キャビネット／囲いの組み立てにのみ使用される）に記載の異形材において生じるように、工業的にみて作業が面倒でもある。
【００１２】
現在の技術水準をより適切に説明するため、添付の図１９を示す。図１９は、特許情報ＰＩ  ８．４０６．２８３の図１３に相当し、使用されている異形材を強調した断面を確認することができるが、この場合において、異形材がキャビネットの内部環境と外部環境の間の密封に関し、標準的な例としてあげられる重大な問題を典型的に呈している。
【００１３】
図１９において、異形材が矩形の筒状の芯（１０）によって画定される形式のものであり、対向して延びた２つの頂点（１２、１５）を有することを見て取ることができる。矩形断面の筒状部分および延長部分は、内部部品および電気装置ならびに電子装置のほか、扉の蝶番、蓋パネル、および／またはその他などの集合体の一体の一部となる外部部品をも固定して組み付けるため、種々の形状および寸法の穴および切り抜き（２０、２１、２３、５１）を列を成して有している。
【００１４】
添付の同じ図１９に関し、穴および開口（２０、２１、２３、５１）が筒状の芯（１０）の四面に配置されていることを見て取ることができる。したがって、キャビネットの内部環境と外部環境との間に、種々の連絡点が発生する。このようにして、異形材の実態構成によって促進された密封が完全に破壊され、屋外キャビネットに使用する場合、この構造の適用を実行不可能にしている。
【００１５】
一方、同じ図１９に関し、異形材の構成に採用された幾何形状が、密封用部材（７２）とりわけ扉および蓋パネルに使用される密封用部材について、使用を限定的にしている点に触れることができる。さらに、この密封（７２）は、その一般方針において、穴（２０、２１、２３、５１）によって台無しにされる。
【００１６】
一方、前記異形材の幾何形状を考慮すると、密封（７２）は、接着によって、あるいは蓋パネルまたは扉に材料を直接塗布して堆積させることによって、様々な方法で適用できるひも状であり、したがって、主に高いコストという他の欠点を生じさせるほか、密封が常に蓋パネルまたは扉の一体の一部分であり、これら部品がたわみやすいため、密封のための圧力が常に不均一である。他に注目される問題として、このような密封において生じうる損傷の場合に、修理がすなわち蓋パネルまたは扉の交換を意味するという点がある。
【００１７】
したがって、要約すると、現在の技術の異形材の不都合が、それら異形材に採用されている幾何形状によって引き起こされており、それら異形材の壁面に設けられた種々の穴によって引き起こされていると言うことができる。したがって、この組立体では、屋外型への使用の条件を満足するという目的が達成されない。
【課題を解決するための手段】
【００１８】
前記状況に照らし、それらを克服するという目的のもとで本発明は生み出され、本発明の最終的な実施形態においては、改良された異形材が、特に屋内型および屋外型のキャビネット／囲いのための構造体の組み立てを同時に提供すべく開発された新規な横断面の幾何形状によって画定され、以下に強調される一連の技術的および実用的利点を有している。
ａ）この異形材は、矩形の筒の形態である芯を呈し、対向する２つの頂点がリムの形態で延び、リムのそれぞれが直角の折り曲げを有しており、この筒または筒状の芯が、頂点のうちの１つをキャビネットの内側に向けて有し、隣接する２つの面だけが、電気部品を固定および配置するための開口の列によって穴あけされ、同じ筒状の芯においてキャビネットの外側を向いている反対側の２つの面は、開口がなく完全に閉じている。一方で、これらの面のうちのただ１つの面が、この面に直交する第３のリムを形成するよう折り曲げによる折り返しを有し、これにより、異形材のキャビネットの外側に面する部分が、合計で少なくとも３つのリムおよび直角に折り曲げられた２つの端部を有し、蓋や扉など、キャビネットまたはパネル・ボードの最終的組み立てに用いられる種々の装置のための種々の固定点を構成している。
ｂ）異形材の外側は、内側に対して完全に密封されている。この密封は、異形材の実体の横断面の幾何形状と成形の詳細とともに自然に得られたものであり、すなわち、異形材を筒状の芯において斜めに正確に分割したならば、片側すなわちキャビネットの内側が、頂点および両者ともキャビネット内の電気設備の組み付けのために穴が空けられている２つの隣り合う壁によって画定される一方で、反対側においては、他方の頂点および隣接する２つの壁が穴または開口を全く有しておらず、したがって、実体の異形材の幾何形状による絶縁すなわち元来の密封が存在し、すなわちキャビネットの内部環境を外部環境と絶縁しており、したがって説明のこの第１段階において、同じ異形材が屋内型および屋外型のキャビネット／囲いの組み立て条件を好都合に満足すると宣言できる。
ｃ）外側のリムは戦略的に配置され、そのうちの２つが直角に曲げられた端部を有し、実際の静的な使用のためのゴム形状の一形式である「ａ」型のガスケットの使用を可能にしており、この条件において、扉および側面蓋の密封が、構造体を輪郭付けている周囲へと単純に直接取り付けることによって達成され、密封点を従来のキャビネット／囲いと完全に異なるように特徴付けており、一方でゴムの形状が他の利点を助長する。すなわち、単純な取り付けによって配置されて組み立てプロセス全体を迅速にする。さらに、保守点検の場合に、単純に１つを取り除いて別のものを取り付けるだけでよく、キャビネットの運用を中断することなくきわめて速やかに行うことができる。
ｄ）この改良された異形材の横断面の幾何形状は、きわめて重要な新しい技術的効果を可能にする。組み上げられた構造体の全ての面が対称的に等しく、これは、１つの構造体を上面および底面を含む側面のいずれか１つで他の構造体と相互接続するためにきわめて好ましい。したがって、この異形材により、所望に応じて増やしたり減らしたりできるモジュール構造の形成が可能になる。
ｅ）３つの外側リムが、前述のとおり蓋パネル、扉（蝶番）、密封用異形ゴム、および／またはその他など、種々の部品の取り付けを可能にすべく協働する。さらに、重要な細部はリムの組の幾何形状であり、これが異形材の機械的な抵抗力を向上させるほか、いずれかの面による構造体と他の構造体の間の機械的な相互接続を大きく助けており、集合体がモジュラー性を有しているという利点を含め、好都合な特徴を完結させている。
【００１９】
第１の新規な技術的効果
本発明の異形材およびその好ましい実施形態においては、主たる目的は、キャビネットの外側と内側の間に対称的に組み合わされた幾何形状を画定することにあった。したがって、本発明の異形材が、矩形の筒の形態である中央の芯として画定された部分すなわち核心を有していることを考慮すると、採用された幾何形状は製造が容易であり、芯の一部（壁）が、他の面に対して完璧な度合いの密封を提供でき、すなわち、芯が矩形の筒であることを考慮しさらに分割線を対角線に考えると、頂点の１つおよび対応する壁面をキャビネットの内側に向けて有し、他の頂点および対応する壁面がキャビネットの外側に向けられている。したがって、キャビネットの内側を向いている壁面は、内部の部品ならびに電気装置および電子装置を組み付けて固定するため、様々な形状および寸法の穴および切抜きを列を成して有する。これは、どちらも開口を全く有していないキャビネットの外側を向いている他の２つの壁面には当てはまらない。したがって、この異形材の筒状の芯が元来持っている密封の完全性が損なわれずに保たれる。
【００２０】
第２の新規な技術的効果
外側向きの頂点による特別な特徴をもたらすため、この頂点は内側の頂点と対向している。一般的に、この外側の頂点が、本発明による改良および本発明の好ましい実施形態の最も重要な態様の１つを構成する。
【００２１】
すなわち、この外側の頂点が、組み立てリムの形態で延長されている。一般に、このリムは、２枚または３枚の壁を備えることができ、好ましくは、９０°の角度で、この外側の頂点に隣接する２つの壁によって制限される２７０°の半径内で、外側へと向くことができる。このリムを様々な角度に向けることができるという事実に加え、このリムに、種々の形状および寸法の開口の列によって穴を空けて種々の固定点を形成することができ、扉の固定、パネルの固定、２つのキャビネット／囲い間の相互接続のための付属品の組み付け、および／またはその他など、外部部品の組み付けに関する様々な技術的要求を満足することが可能になる。
【００２２】
理解できるとおり、この外側のリムは、異形材を剛にするとともに、キャビネットの内側から完全に絶縁されている点を構成し、異形材の成形によって元来得られる密封を妨げることがなく、キャビネットの内部環境と外部環境との間の密封の完全性を手付かずのまま維持し、したがって、この異形材に、屋内用および屋外用のキャビネット／囲いの組み立てに同時に使用できる手段をもたらしている。
【００２３】
第３の新規な技術的効果
内側の頂点に隣接する２つの壁の自然の延長として、戦略的に配置された他のリムを生成し、これらのリムの自由端を外側または内側に向けて直角に折り曲げ、前述のとおり、「ａ」型の密封材または他の形式の密封材のための様々な組み付け点を構成することができる。
【００２４】
これらの補完的なリムは、端部に加えられた折り曲げの角度に応じて、種々の用途のための細部を構成し、すなわち、これらのリムのうちの１つの端部を外側に向かって直角に曲げ、この異形材をキャビネットの底部または上部に位置させることができる。この条件において、このリムはキャビネットの底部または上部の支持枠に類似する矩形を構成し、そのような部品をキャビネットに固定して支持するための補足物を使用する必要がなくなる。さらに、必要であれば、このリムが、キャビネットの底部に補完的な区画を構成するための基礎を提供する。
【００２５】
本発明をよりよく理解するため、本発明の詳細な説明を、添付の図面を参照しつつ以下に示す。
【発明を実施するための最良の形態】
【００２６】
これらの図示に従い、さらにこれらの詳細において、本発明による改良された異形材が、キャビネット／囲い、箱、または図１Ａ、１Ｂおよび２に広く示されているキャビネット／囲い（１００）の組み立てのために特に開発され、図１Ａ、１Ｂおよび２においては、屋内用でもよく屋外用でもよい単なる例示のための一形式を確認することができる。しかしながら、どちらの場合においても、金属製の箱の形態であって、寸法に応じて１つ以上の開閉扉（１０２）を含む側面蓋（１０１）を備えている。これらの蓋は、扉を含め、通常は充分に薄い金属の薄板で作られている。したがって、全てのキャビネット／囲いは、図３にも示されている金属製異形材からなる構造体（１０３）を収容しており、図３においては、この構造体が、その名前が意味するとおり、外壁を構成している折り曲げ薄板を形成する部品を支持するための手段を構成し、さらに扉および各蝶番ならびにここには示されていない他の付属品を支持して組み付けるための手段を構成する一方で、この構造体の内側がさらに、種々の部品および電気装置ならびに電子装置を配置して組み込むために必要な支えを構成していることを、確認することができる。
【００２７】
さらに図３に関連し、キャビネットまたは箱を内部設備の取り付けに適するよう特徴付けるため、あらゆるキャビネットの内部に、充分に耐久性のある構造（１０３）を収容していることが不可欠であることは明白である。ここに図示されている構造体は、図４に詳細を見ることができる本発明の異形材（１０４）から得られており、図４において、この異形材（１０４）が、四角形の断面（１０５）を有する筒状の中央の芯によって画定される新しい幾何形状を有する断面で構成されていることを確認でき、四角形断面（１０５）の頂点（１０６）がキャビネット（１００）の内部を向いている（図５）一方で、対向する頂点（１０７）がキャビネット（１００）の外を向いており、これら２つの頂点が残りの２つの頂点（１０８）および（１０９）の場合と異なり１枚の壁より形成されており、この残りの２つの頂点（１０８）および（１０９）は、最初の２つの頂点（１０６、１０７）を形成する薄板の接点によって画定され、この点から二枚壁（１１０）が、頂点（１０６）に隣接する壁面（１０６ａ、１０６ｂ）と同一平面の位置で広がって対向するリム（１１１ａ、１１１ｂ）を形成しており、これらリム（１１１ａ、１１１ｂ）の端部が折り曲げられて短い端部（１１２）および（１１３）を形成し、この短い端部（１１２）および（１１３）は、溝が設けられる（１１４）とともに、頂点（１０７）に隣接する壁面（１０７ａ、１０７ｂ）から平行に離れており、さらに壁面（１０７ａ）が、直角に外側に向かう突起を有して直角リム（１１５）を構成している。
【００２８】
図４に関し、キャビネット（１００）の外側に位置する隣接する壁面（１０７ａ）および（１０７ｂ）は、完全に行き止まりであって穴がない。
【００２９】
キャビネット（１００）の内側に位置する隣接する壁面（１０６ａ）および（１０６ｂ）には、種々の形状および寸法の開口および穴（１１６）が列を成して配置され、キャビネット内に組み付けられる種々の部品の固定点を構成している。
【００３０】
リム（１１５）は、キャビネット（１００）の外の部品を固定するための種々の穴および開口（１１７）の列によって抜かれている。
【００３１】
図５を観察すると、構造体（１０３）の頂点（１０６）が全てキャビネット（１００）の内側を向いており、これが開口（１１６）についても当てはまる一方で、頂点（１０７）によって画定される異形材の他の側は、キャビネット（１００）の外側を向いており、この状態において、壁面（１０７ａ）および（１０７ｂ）は行き止まりであって穴がないため、キャビネットの内部環境と外部との間に元来の密封が生じ、この集合体の効率を大きく高めている。このようにして、この同じ構造（１０３）が、屋内型または屋外型のキャビネット／囲いの組み立てに使用される。
【００３２】
図５は、本発明の異形材によって得られたキャビネットの上方からの断面を示している。この図においては、構造の詳細をよりよく見せるために角の部分の寸法が誇張されているが、本発明による改良に含まれる詳細の構成に干渉はしていない。
【００３３】
図６を観察すると、本発明の異形材の他の重要な特徴が、いくつかの異形材を直交させて接続するとき、すなわち異形材の端部を直交させて接続するときに得られ、これらのリム（１１１ａ、ｂ）および（１１５）が全て外側を向くとともに、上面および下面を含む構造体（１０３）の全ての面を対称的に同一にすべく結合し、したがって、これらの面が、図５の詳細拡大図である図７、８、９、および１０に固定点が示されている蓋（１０１）および扉（１０２）を受け止めることができる（図５）。
【００３４】
「Ａ」および「Ｂ」の詳細拡大図である図７および８を観察すると、折り曲げ端（１１３）が、扉（１０２）に寄りかかる「ａ」型ガスケット（１１８）のための固定レールを構成しており、扉（１０２）は、一方の側に各通常の鍵（１１９）を備え、反対側に通常の蝶番（１２０）を備えており、後者が対応する穴空きリム（１１５）の固定点（１２１）に接続している。
【００３５】
図９および１０に関しては、同じリム（１１５）が、蓋（１０１）を固定すべくねじ（１２２）を使用するための固定点を構成し、密封には、対応する折り曲げ（１１３）に装着された異形のガスケット、すなわち「ａ」型ガスケットを使用している。
【００３６】
前記図９および１０に関しては、端部（１１２）が、蓋（１０１）の内側または端部（１１２）の実体の前面に取り付けられた密封ひも（１２３）のため、平坦な支えを構成している。
【００３７】
前述のように、本発明によって改良された異形材は、各面が対称的に同一である構造体（１０３）であって、図１１に示すようにモジュラー・ユニットの特性を示す構造体（１０３）を構成するための手段を与える。この状況において、１つのユニットを他のユニットと相互に連結することが可能であり、この目的のため、本発明の異形材は、機械的接続のために図１２の分解図に示されている適合する付属品を受け入れ、全ての構成部品が、異形材（１０４）の横断方向の幾何形状によって画定される構造詳細に完全に適合する。
【００３８】
図１３を観察することによって、２つの構造体が並んで接続されていることに注目でき、この状態において、異形材が、直角に折り曲げられた端部（１１３）が密封材（１２３）を間に位置させて対向、すなわち並ぶように構成され、この密封材（１２３）が、付属品すなわち「Ｕ」字に折り曲げた平棒ブラケット（１２４）と関連して或る圧力に維持され、平棒ブラケット（１２４）が、ねじ（１２５）と関連して２つの筒状の芯（１０５）の間の堅固な相互接続を確立しており、この相互接続が、他のねじ（１２５）の使用によって同様に２つのリム（１１５）を相互接続するロッド（１２６）によって補われ、このようにして、密封が前記と同じやり方、すなわち「ａ」型ガスケット（１１８）で行なわれている固定の蓋（１０１）を備える側における２つのモジュールの相互接続を完成させていることを特徴とする。
【００３９】
図１４に関し、扉（１０２）の側において２つの構造体の結合が、同じやり方、すなわち密封材（１２３）、ねじ棒またはロッド（１２６）、ブラケット（１２６）、および個々のねじを用いて行なわれていることに注目できる。
【００４０】
図１５は、図１４と同様の組み立て状況を示しており、２つの構造体間の相互接続に焦点をあてており、構造体の２つの面が開閉扉（１０２）を有している。しかしながら、この場合には、鍵（１１９）およびこのような扉（１０２）のそれぞれの蝶番一式が、ガスケット（１１８）による密封縁の外側に位置しており、密封という点でこの集合体にさらなる効率性を付与して、屋外用キャビネットのアセンブリにとって理想的にしている。
【００４１】
第１の好ましい実施形態
図１６Ａは、本発明の異形材の第１の好ましい実施形態を示しており、横断面の幾何形状は事実上同じままであるが、この場合においては、リム（１１５ａ）が頂点（１０７）によって画定されるちょうどその点に形成されており、壁（１０７ｂ）に対して同一面の位置にあり、壁（１０７ａ）に直交していることを特徴としている。
【００４２】
第２の好ましい実施形態
図１６Ｂは、本発明の異形材の第２の好ましい実施形態を示しており、横断面の幾何形状は事実上同じままであるが、この場合においては、２つの壁（１１０）によって形成されたリム（１１１）が、外側に向かって直角に折り曲げられた端部すなわち自由端（１１３ａ）を有することを特徴とする。この場合において、この異形材がキャビネット／囲いの底部または上部に位置する場合、前記リムすなわち端部（１１３ａ）が、キャビネット／囲いの底部または上部を支えるための枠組のような矩形を形成し、キャビネット／囲いにおいてそのような部品を固定して支持するための補足物を不要にするとともに、さらに必要であれば、このリムがキャビネット／囲いの底部または上部に補完的な区画を構成するための条件を提供する。
【００４３】
第３の好ましい実施形態
図１６Ｃは、本発明の異形材の第３の好ましい実施形態を示しており、図１６Ｂに示した横断面の幾何形状は事実上同じままであるが、この場合においては、端部（１１２ａ）が、端部１１３（ａ）と同様に外側に向かって直角に折り曲げられており、この端部（１１２ａ）が、いくつかの密封用部品およびキャビネット／囲いの外に位置する他の部品の他の組み立て状況を満足させることができることを特徴とする。
【００４４】
第４の好ましい実施形態
図１６Ｄは、本発明の異形材の第４の好ましい実施形態を示しており、図４に示した横断面の幾何形状は事実上同じままであるが、この場合においては、壁（１０７ｂ’）が頂点（１０７’）に９０°よりもかなり大きい内部角度を提供し、中間のリム（１１５’）が直角な第２の折り曲げを有し、この折り曲げにも種々の穴および開口（１１７’）および（１１７’’）が配置されていて、このリム（１１５’）が固定用の２つの列を直角に有しており、特に蓋、扉、および構造体と他の構造体との間の機械的な相互接続に関し、外部部品の固定点を増やしていることを特徴とする。
【００４５】
第５の好ましい実施形態
図１７Ａは、本発明の異形材の他の好ましい実施形態を示しており、筒状の芯（１０５’）が、この場合においては二重壁である頂点（１０６’）に隣接する壁（１０６ｂ’）をただ１つだけ備え、ただ１つの面（１０６ａ’）が、開口（１１６’）の両側へのアクセスの形態で完全に開いていることを特徴とする。この異形材は、壁（１０７ａ）および（１０７ｂ）が行き止まりであって穴がなく、全ての密封および固定点（１１２）、（１１５）および（１１３）が外側にあるため、図４の異形材とくらべて同じ利点、すなわち異形材の横断面の幾何形状によってもたらされる元来の密封という利点を有することは明らかであり、したがって、所望の密封効果が保証される。この好ましい実施形態においては、開放面（１０６ａ’）によって追加の利点がもたらされ、この状況においては、種々の部品を開口（１１６’）の両側から容易に組み付けることができる。
【００４６】
第６の好ましい実施形態
図１７Ｂは、先の図と同じ開放異形材を示しているが、リム（１１５’）が互いに直交して位置する２つのグループの開口（１１７’、１１７’’）を備えることができるよう、さらに折り曲げ（１１７）を有することができ、図１６Ｄおよび１７Ａの異形材と同じ利点をもたらす点が強調されている。
【００４７】
第７の好ましい実施形態
上記で見られるように、前記図面に記載された本発明の異形材は、全て成形によって得られており、すなわちただ１枚の薄板が、異形材の断面形状を獲得するまで成形される。図１８Ａおよび１８Ｂは、第７の好ましい実施形態を示しており、本発明の異形材が、その横断面の幾何形状が薄板を折り曲げてなり互いに溶接される２つの別個の異形材によって画定され、一方（１２７）がキャビネット／囲いの内側に位置して、他方（１２８）がキャビネット／囲いの外側に位置し、前者が頂点（１０６）および開口（１１６）を備える隣接する各壁（１０６ａ）および（１０６ｂ）を含んで、他方が開口（１１７）を備えるリム（１１５）を含んでおり、この異形材が内側または外側へと直角に折り曲げられた端部またはリム（１１２）および（１１３）を含んでいるという点によっても特徴付けられることが強調されている。さらに、壁（１０６ａ）および（１０６ｂ）の長さは等しくても相違していてもよく、各場面のニーズにしたがって異形材を増やすことができる。
【００４８】
折り曲げおよび溶接された２枚の薄板から得られる異形材に、他の好ましい実施形態の幾何形状を取り入れることができることは明らかであり、異形材を、各プロジェクトの用途に合わせて変更することができる。
【００４９】
ここに提示し説明した内容によれば、本発明の異形材およびその付属品ならびに好ましい実施形態が、キャビネット全般特には屋内型または屋外型のキャビネットの内部構造の製造に適用可能である点に注目できる。しかしながら、すでに述べたとおり、本発明の異形材によれば、支柱および横断材から構成され、それらの開口（１１６）が部品、ボード、設備、装置、および／またはその他のための固定点を構成する構造体を最終的に形成することができるので、なんら妨げなく他の同種の用途へと適用することができる。この状況において、同じ異形材を、構成および好ましい実施形態に変更を加えることなく、他の種々のキャビネット／囲いの用途に使用できる。
【００５０】
他方では、本発明の異形材によれば、この異形材のために採用された新しい横断面の幾何形状によるもののほか、この幾何形状が、キャビネット／囲いまたは箱の内側に設備を組み付けるための開口を内側に設けつつ、固定点が異形材の外部に位置する蓋や扉などの種々の外部部材を組み付けるために最終的に完璧な平衡を生じるように開発されているため、前記した全ての利点を容易に実現することができ、異形材の元来の密封が損なわれることなく保たれる。
【図面の簡単な説明】
【００５１】
【図１Ａ】本発明の異形材によって得られたキャビネットについて、完全に閉じられた状態の斜視図を示している。
【図１Ｂ】同じキャビネットの他の斜視図を示しているが、扉が開かれている。
【図２】前記図面に示されたキャビネットの分解斜視図であり、本発明の異形材によって得られるキャビネットの構造体が強調されている。
【図３】本発明の異形材によって得られた構造体の斜視図である。
【図４】好ましい構成例による本発明の異形材の断面を示している。
【図５】本発明の異形材によって得られたキャビネットの断面図を示している。
【図６】図３に示した構造体を部分拡大した斜視図である。
【図７】図５の詳細Ａ、Ｂ、ＣおよびＤの拡大図である。
【図８】図５の詳細Ａ、Ｂ、ＣおよびＤの拡大図である。
【図９】図５の詳細Ａ、Ｂ、ＣおよびＤの拡大図である。
【図１０】図５の詳細Ａ、Ｂ、ＣおよびＤの拡大図である。
【図１１】本発明の異形材によって得られた構造体であって、並べて配置された２つの構造体を示した図である。
【図１２】本発明の異形材によって得た構造体が、対称である側面のいずれか１つで相互に接続可能であることを示した図である。
【図１３】本発明の異形材によって得た構造体が、対称である側面のいずれか１つで相互に接続可能であることを示した図である。
【図１４】本発明の異形材によって得た構造体が、対称である側面のいずれか１つで相互に接続可能であることを示した図である。
【図１５】本発明の異形材によって得た構造体が、対称である側面のいずれか１つで相互に接続可能であることを示した図である。
【図１６Ａ】本発明の異形材の好ましい実施形態を強調した図である。
【図１６Ｂ】本発明の異形材の好ましい実施形態を強調した図である。
【図１６Ｃ】本発明の異形材の好ましい実施形態を強調した図である。
【図１６Ｄ】本発明の異形材の好ましい実施形態を強調した図である。
【図１７Ａ】本発明の異形材の好ましい実施形態を強調した図である。
【図１７Ｂ】本発明の異形材の好ましい実施形態を強調した図である。
【図１８Ａ】本発明の異形材の好ましい実施形態を強調した図である。
【図１８Ｂ】本発明の異形材の好ましい実施形態を強調した図である。
【図１９】特許情報ＰＩ  ８．４０６．２８３に記載された異形材の図である。
【図１Ａ】
2005529500.tif 000003
【図１Ｂ】
2005529500.tif 000004
【図２】
2005529500.tif 000005
【図３】
2005529500.tif 000006
【図４】
2005529500.tif 000007
【図５】
2005529500.tif 000008
【図６】
2005529500.tif 000009
【図７】
2005529500.tif 000010
【図８】
2005529500.tif 000011
【図９】
2005529500.tif 000012
【図１０】
2005529500.tif 000013
【図１１】
2005529500.tif 000014
【図１２】
2005529500.tif 000015
【図１３】
2005529500.tif 000016
【図１４】
2005529500.tif 000017
【図１５】
2005529500.tif 000018
【図１６Ａ】
2005529500.tif 000019
【図１６Ｂ】
2005529500.tif 000020
【図１６Ｃ】
2005529500.tif 000021
【図１６Ｄ】
2005529500.tif 000022
【図１７Ａ】
2005529500.tif 000023
【図１７Ｂ】
2005529500.tif 000024
【図１８Ａ】
2005529500.tif 000025
【図１８Ｂ】
2005529500.tif 000026
【図１９】
2005529500.tif 000027
【国際調査報告】
2005529500.tif 000028
2005529500.tif 000029